(57)【要約】【課題】害獣を殺傷せずに捕獲するとともに、捕獲された害獣が容易に脱出することのできない捕獲器を提供する。【解決手段】捕獲器１は、筒状のかご本体２の両端に前扉３および後扉４を回動可能に取り付けて構成される。前扉３は、２つの部材の端部を連結し、間に押しバネ３３を介在させて形成される。また、前扉３にはコの字型部材３５が取り付けられる。前扉３を開放状態とし、後扉４を閉鎖状態として捕獲器１を設置したとき、前扉３側の導入用開口部から侵入した動物が踏み板５を踏むと、踏み板５と前扉３とを連結するロッド７が前扉３を係止する引掛けバネ６を牽引して前扉３の係止状態が解除され、前扉３が閉鎖状態となる。このとき、捕獲器１内の動物が前扉３を押し上げようとしても、コの字型部材３５がかご本体２の上部に引っ掛かるため、前扉３は開かない。【選択図】  図１
0003133079.tif 000002
【実用新案登録請求の範囲】
【請求項１】
動物捕獲用の捕獲器であって、
両端に動物導入用の第１開口部と放獣用の第２開口部とを有する筒状の箱体と、
前記箱体の内部上面に回動可能に取り付けられ、前記第１開口部を開放または閉鎖する第１の扉と、
前記箱体の底面に回動可能に取り付けられ、前記第２開口部を開放または閉鎖する第２の扉と、
前記第１の扉を前記箱体の内部上面に係止して前記第１開口部の開放を維持する係止部と、
前記箱体の内部底面に傾倒して設置される踏み板と、
一端を前記係止部に取り付けられ、他端を前記踏み板に取り付けられる棒状の連結部と、
を備え、
前記第１の扉は、開放阻止部を有する第１扉部材の一端と第２扉部材の一端とを連結し、前記第１扉部材と前記第２扉部材との間にバネを介在させて形成され、前記第２扉部材の他端で前記箱体に取り付けられるとともに、前記第１開口部を開放するときには前記バネが縮小されて前記係止部に係止され、前記第１開口部を閉鎖するときには前記バネが伸長されて一定の開き角を有する断面Ｖ字型を構成し、
前記第１開口部が開放され、前記第２開口部が閉鎖されているとき、前記第１開口部より前記箱体内部に侵入した動物が前記踏み板を押下すると、前記連結部が前記係止部を牽引して前記第１の扉の係止状態が解除され、前記バネにより付勢された前記第１の扉が前記第１開口部を閉鎖し、
前記第１開口部および前記第２開口部が閉鎖されているとき、前記箱体内部に侵入した動物が前記第１の扉を押し上げようとすると、前記開放阻止部が前記箱体の内部上面に衝止されて前記第１開口部の閉鎖を維持することを特徴とする捕獲器。
【請求項２】
請求項１に記載の捕獲器において、
前記箱体と、前記第１の扉と、前記第２の扉とは、いずれも金網から作製されることを特徴とする捕獲器。
【請求項３】
請求項１または２に記載の捕獲器において、
前記捕獲器を持ち運ぶための取っ手と、
前記箱体内の動物から前記取っ手を把持する人物を保護するための防護板と、
をさらに備えることを特徴とする捕獲器。
【請求項４】
請求項３に記載の捕獲器において、
前記防護板は前記箱体の外部上面に設置され、前記第２開口部まで延在することを特徴とする捕獲器。
【請求項５】
請求項１乃至４のいずれかに記載の捕獲器において、
前記箱体内への動物の侵入を検知し無線により報知するセンサ部をさらに備えることを特徴とする捕獲器。
【考案の詳細な説明】
【技術分野】
【０００１】
本考案は捕獲器に係り、より詳細には野生動物を殺傷することなく捕獲することが可能で、且つ捕獲された動物が容易に脱出することのできない捕獲器に関する。
【背景技術】
【０００２】
従来、家畜に危害を加えたり田畑を荒らしたりするいわゆる害獣への対策として、捕獲器が用いられている。こうした捕獲器の構造には様々なものがあり、（ａ）強力な粘着性のシート等を利用して害獣を拘束する捕獲器、（ｂ）害獣の体の一部を挟んで拘束する捕獲器、（ｃ）内部に侵入した害獣を出口を閉鎖して閉じ込める箱型の捕獲器等が例として挙げられる。
【考案の開示】
【考案が解決しようとする課題】
【０００３】
このうち、（ａ）および（ｂ）の方式を採る捕獲器は殺傷力が高く、捕獲後に放置された場合には害獣の死骸が腐敗するなどして衛生的でない。また、法律により捕獲や殺傷が禁じられている野生動物には適用することができない。
一方、（ｃ）の方式すなわち箱型の捕獲器の場合、内部に侵入した害獣を傷つけずに捕獲することが可能である。特許文献１に記載のネズミ取り器はこうした箱型の捕獲器の構成の一例を示すものであり、内部にネズミが侵入し、その体重によって床板が沈むと、かごの侵入口に設置された扉が閉まるようになっている。
【０００４】
このような構成の捕獲器によれば、仮に害獣が扉に挟まれても（ａ）および（ｂ）の方式に比べて殺傷力は低く、また、害獣は捕獲器の最奥部に置かれた餌を求めて扉から離れた位置まで移動するので、そもそも挟まれる可能性も低い。したがって、害獣を傷つけずに捕獲し、捕獲後には山中など人里離れた場所で放獣することができる。
【０００５】
しかしながら、このような扉を有する箱型の捕獲器においては、捕獲した害獣が扉をこじ開けて逃走してしまうことがある。あるいは、捕獲に成功しても、その後長期間にわたって放置されるうちに、捕獲した害獣が捕獲器の中で死亡してしまうという問題が発生する。
【特許文献１】特開２００２−２３３２９１号公報
【課題を解決するための手段】
【０００６】
これらの課題を解決するために本考案が提供する捕獲器は、両端に動物導入用の第１開口部と放獣用の第２開口部とを有する筒状の箱体と、箱体の内部上面に回動可能に取り付けられ第１開口部を開放または閉鎖する第１の扉と、箱体の底面に回動可能に取り付けられ第２開口部を開放または閉鎖する第２の扉と、第１の扉を箱体の内部上面に係止して第１開口部の開放を維持する係止部と、箱体の内部底面に傾倒して設置される踏み板と、一端を係止部に取り付けられ他端を踏み板に取り付けられる棒状の連結部と、を備える。第１の扉は、開放阻止部を有する第１扉部材の一端と第２扉部材の一端とを連結し、第１扉部材と第２扉部材との間にバネを介在させて形成され、第２扉部材の他端で箱体に取り付けられるとともに、第１開口部を開放するときにはバネが縮小されて係止部に係止され、第１開口部を閉鎖するときにはバネが伸長されて一定の開き角を有する断面Ｖ字型を構成する。第１開口部が開放され、第２開口部が閉鎖されているとき、第１開口部より箱体内部に侵入した動物が踏み板を押下すると、連結部が係止部を牽引して第１の扉の係止状態が解除され、バネにより付勢された第１の扉が第１開口部を閉鎖する。第１開口部および第２開口部が閉鎖されているとき、箱体内部に侵入した動物が第１の扉を押し上げようとすると、開放阻止部が箱体の内部上面に衝止されて第１開口部の閉鎖を維持する。
【０００７】
本考案が提供する捕獲器において、箱体と、第１の扉と、第２の扉とは、いずれも金網から作製してもよい。
また、本考案が提供する捕獲器は、捕獲器を持ち運ぶための取っ手と、箱体内の動物から取っ手を把持する人物を保護するための防護板とをさらに備えてもよい。この防護板は、箱体の外部上面に設置され、第２開口部まで延在してもよい。
また、本考案が提供する捕獲器は、箱体内への動物の侵入を検知し無線により報知するセンサ部をさらに備えてもよい。
【考案の効果】
【０００８】
本考案の捕獲器によれば、捕獲対象を殺傷することなく捕獲し、適切な場所で放獣することができる。捕獲された動物は、捕獲器内部から扉を開けることができないため、容易に逃走することができない。
また、本考案の捕獲器は、金網を用いて作製されるので、捕獲対象の動物にあわせて捕獲器の大きさの変更を柔軟に行うことができる。上面に放獣用の開口部まで届く形状の頑丈な防護板を備えているので、捕獲された動物が長い爪等を有する場合であっても、捕獲器を持ち運ぶ人物が引っ掻かれないよう保護し、放獣場所まで安全に持ち運ぶことを可能にするほか、捕獲した動物を放獣する際にも作業者の安全を確保することができる。
さらに、センサを備えることにより、捕獲の際には迅速に報知が行われ、捕獲器が長期間放置されることが防止される。
【考案を実施するための最良の形態】
【０００９】
以下、図面を参照して本考案の実施形態を説明する。
図１に示すのは、本考案の一実施例による捕獲器１の斜視図である。この実施例において、捕獲器１は、いずれも金網から作製されたかご本体２と、前扉３と、後扉４とを用いて形成される。前扉３および後扉４は、かご本体２の両端の開口部、すなわち捕獲対象の動物の導入用開口部および放獣用開口部を開放または閉鎖するよう回動可能に取り付けられる。また、かご本体の外部上面には、防護板１１および持ち運び用の取っ手１３が設置される。
【００１０】
かご本体２は、図５に示すように、金網を略コの字型に折り曲げた２つの部材２０１および２０２を複数の留め金具８で固定して作製される。両端部の開口部付近には枠１０１および１０２が取り付けられ、かご本体２を補強する。
前扉３は、図６（ａ）に示すように、相対的に小さい第１の前扉部材３１と相対的に大きい第２の前扉部材３２とをヒンジ９により連結して構成される。第１の前扉部材３１と第２の前扉部材３２との間には、図６（ｂ）に示すように押しバネ３３が介在され、針金状の金具等を用いて固定される。このとき、押しバネ３３は伸長状態であり、前扉３は押しバネ３３の高さに合わせた一定の開き角を有するＶ字型を形成する。
【００１１】
図６（ｂ）は前扉３の概略側面図であり、導入用開口部を閉鎖するときの状態を示している。前扉３は、第２の前扉部材３２をかご本体２の内部上面にヒンジ９を用いて回動可能に固定することにより取り付けられ、第１の扉部材１は導入用開口部においてかご本体２の上面および底面に対して略垂直となる。
【００１２】
一方、図１のように導入用開口部を開放するとき、すなわち第２の扉部材３２のヒンジ９により固定された一端を軸にして前扉３が持ち上げられるとき、押しバネ３３は第１の前扉部材３１と第２の前扉部材３２との間に挟まれて縮小状態となる。図６（ｃ）に示すのは、このときの前扉３の概略側面図である。縮小状態の押しバネ３３の伸長を抑えて開口部の開放を維持するために、前扉３は、後述する引掛けバネ６によりかご本体２の内部上面に係止される。
【００１３】
第１の前扉部材３１には、Ｖ字型を形成したときに第２の前扉部材３２と対向する面に、先端が略直角に曲げられたコの字型の部材３５が取り付けられる。この部材３５は、前扉３が導入用開口部を閉鎖するとき、かご本体２の内部から力が加えられても前扉３が押し上げられないようにするためのものである。前扉１にはさらに、取扱者が前扉３を引上げ易いように、取っ手リング１５を取り付けてもよい。
【００１４】
後扉４は１枚の金網より作製され、ヒンジ９を用いてかご本体２の放獣用開口部の底辺に取り付けられる。放獣用開口部には、後扉４を閉鎖状態にしたときにかご本体２の内側に倒れこむのを防止する扉止め１４が設けられる。後扉４はさらに、防護板１１の端部に取り付けられた２つのロック金具１２によりかご本体２に固定される。
【００１５】
かご本体２の上部には、図７に示すような引掛けバネ６が回転可能に取り付けられる。引掛けバネ６は両端がフック状に曲げられており、その一端は、捕獲対象の動物の導入用開口部を開放するときに前扉３を引掛けて係止する。また、他端はロッド７の一端に引掛けられる。ロッド７はかご本体２の底面に設置された踏み板５と前扉３とを連結するもので、他端が踏み板５に引掛けられている。ロッド７は、ロッド保持リング１６によりかご本体２の側面に保持されてもよい。
【００１６】
図８（ａ）および（ｂ）において、棒ＡおよびＢはかご本体２の底面の金網の一部を示す。踏み板５は複数のアーム５１と１つの孔５２とを有し、かご本体２の開口部と平行な棒Ａにアーム５１を引掛けて取り付けられる。このとき、踏み板５は、アーム５１を有する辺が前扉３側に、これと対向する辺が後扉４側になるよう配置される。前扉３が開放状態のとき、ロッド７は引掛けバネ６の方向に牽引され、踏み板５は図８（ｂ）に示すように傾斜状態を維持する。
【００１７】
前述のように、かご本体２の外部上面には、防護板１１および取っ手１３が設置される。防護板１１は、例えば図９に示すような形状の鉄板で、捕獲した動物が鋭い爪を有するような場合に、かご本体２の網目から外に腕を伸ばして取っ手１３を持つ人物の手を傷つけることを防ぐためのものである。防護板１１には２つの孔１１０が設けられ、この位置に取っ手１３の両端が取り付けられる。また、防護板１１の端部に設けられた複数のロック金具は後扉４を閉鎖状態で固定する。防護板１１には、使用上の注意書き等を貼付してもよい。
【００１８】
以上のように構成される捕獲器１により動物を捕獲する手順は次のとおりである。
まず、図２に示すように、前扉３を持ち上げ引掛けバネ６により係止して捕獲対象の動物の導入用開口部を開放し、後扉４をロック金具４により固定して放獣用開口部を閉鎖した状態で、捕獲器１を地上に設置する。捕獲器１の内部には、果物など、捕獲対象の動物の好物を踏み板５の近辺に置いておく。
【００１９】
好物に釣られてやってきたイタチ等が導入用開口部から捕獲器１に侵入し、踏み板５を踏むと、踏み板５の押下に伴ってロッド７が牽引され、引掛けバネ６が回転する。すると、バネ６の他端に引掛けられたローラ３４が回転して前扉３の係止状態が解除される。すなわち、開放状態でかご本体２の上面に係止されていた前扉３が導入用開口部を閉鎖する。
【００２０】
このとき、第１の前扉部材３１と第２の前扉部材３２とに挟まれて縮小されていた押しバネ３３が伸長し、その作用により付勢されて、前扉３は瞬時に閉鎖状態となる。この状態を図３に示す。前扉３が閉まる際にかご本体２の底面と前扉３との間に動物が挟まれる虞があるが、押しバネ３３は挟まれた動物を殺傷するほど大きな力を加えるものではない。
捕獲された動物が外部に脱出しようとして捕獲器１の内側から前扉３を押し上げようとすると、前扉３に取り付けられたコの字型部材３５の先端部がかご本体２の上部の金網にぶつかり、あるいは網目に引っ掛かるので、前扉３は開かない。一方、後扉４もロック金具１２により固定されているため開かない。したがって、捕獲された動物は、容易には脱出することができない。
【００２１】
捕獲器１には、図示しないセンサを取り付けて、捕獲器１内に動物が侵入したことを感知するとともに、その旨を無線で管理者に報知することが可能である。これにより、捕獲器を遠隔地から監視することができるほか、捕獲器１が放置される事態を防止できるという利点がある。
【００２２】
捕獲した動物は、取っ手１３を掴んで捕獲器１ごと移送し、山中など適切な場所を選んで放獣する。このとき、図４に示すように後扉４を開けて放獣用開口部を開放する。
以上、本考案による捕獲器の一実施例を説明したが、本考案はこの実施例に限られることなく、他にも様々に実施することが可能である。
【００２３】
したがって、例えば、かご本体２を１枚の金網から作製したり、前扉３を構成する第１前扉部材３１と第２前扉部材３２とをヒンジ９を用いずに連結してもよい。また、防護板１１は鉄板に限定されず、他の頑強な材質の板材としてもよい。あるいは取っ手１３をビニルチューブ等で覆って持ち易くすることなどもできる。
【００２４】
さらに、引掛けバネ６の代わりに前扉３にリングを取り付け、そのリングにロッド７を通して前扉３を開放状態に係止することもできる。この場合、踏み板５を踏むとロッド７が牽引されてリングからはずれ、前扉３が導入用開口部を閉鎖する。
【００２５】
また、前扉３が導入開口部を閉鎖するとき、かご本体２の内部から力が加えられても前扉３が押し上げられないように部材３５を取り付けているが、さらにかご本体２の上部と前扉３の上部とを釣り糸などで結ぶことにより、前扉３が押し上げられないようにすることもある。
【図面の簡単な説明】
【００２６】
【図１】本考案の一実施例による捕獲器の斜視図。
【図２】本考案の一実施例による捕獲器の前扉が開放状態のときの側面図。
【図３】本考案の一実施例による捕獲器の前扉が閉状態のときの側面図。
【図４】本考案の一実施例による捕獲器の後扉が開放状態のときの側面図。
【図５】（ａ）、（ｂ）は本考案の一実施例による捕獲器のかご本体を示す図。
【図６】（ａ）、（ｂ）、（ｃ）は本考案の一実施例による捕獲器の前扉を示す図。
【図７】本考案の一実施例による捕獲器の引掛けバネを示す図。
【図８】（ａ）、（ｂ）は本考案の一実施例による捕獲器の踏み板を示す図。
【図９】本考案の一実施例による捕獲器の防護板を示す図。
【符号の説明】
【００２７】
１  捕獲器
２  かご本体
３  前扉
３３  押しバネ
４  後扉
５  踏み板
６  引掛けバネ
７  ロッド
８  留め金具
９  ヒンジ
１０１、１０２  補強枠
１１  防護板
１２  ロック金具
１３  取っ手
１４  扉止め
１５  取っ手リング
１６  ロッド保持リング
【図１】
0003133079.tif 000003
【図２】
0003133079.tif 000004
【図３】
0003133079.tif 000005
【図４】
0003133079.tif 000006
【図５】
0003133079.tif 000007
【図６】
0003133079.tif 000008
【図７】
0003133079.tif 000009
【図８】
0003133079.tif 000010
【図９】
0003133079.tif 000011